(57)【要約】【課題】カメラの口径精度や露出精度を落とすことなく絞りの切替え時間を短縮する。【解決手段】絞りは絞り駆動機構による駆動方向が開方向か閉方向かによって同じ目標絞り値に対する実絞り値が異なる。各目標絞り値についての実絞り値を求め、フラッシュメモリに記憶しておく。撮影時にシャッタボタンを半押しすると、ＡＥ処理びＡＦ処理がスタートする。ＡＥ処理では、絞り駆動機構が駆動され、撮像信号の輝度積分値に対応した目標絞り値に絞りがセットされる。絞り駆動機構の駆動方向が開方向αか閉方向βかによって目標絞り値に対応する実絞り値をフラッシュメモリから読み出し、この実絞り値に基づいてシャッタ速度の算出を行う。シャッタボタンを全押しすると、前記シャッタ速度に対応する電荷蓄積時間でＣＣＤから撮像信号の読出が行われる。撮像信号は画像データに変換され、種々の処理を経てメモリカードに記憶される。【選択図】        図４
2006243372.tif 000002
【特許請求の範囲】
【請求項１】
被写体輝度を測光する測光手段と、この測光手段による測光値に基づいて複数の目標絞り値から１個の目標絞り値を選択する絞り値選択手段と、選択された目標絞り値に基づいて絞りを駆動する絞り駆動機構とを備えたカメラにおいて、
前記絞りを開放絞りから最小絞りに向かう閉方向へ駆動した場合と最小絞りから開放絞りに向かう開方向へ駆動した場合のそれぞれについて、前記目標絞り値毎に一定輝度の被写体を撮影して絞りを通過する光量を測定し、この測定結果から各目標絞り値における閉方向，開方向の各実絞り値を算出して記憶部に記憶しておき、
撮影時には、前記絞り値選択手段が測光値に基づいて目標絞り値を選択するとともに、前記絞りの駆動方向が閉方向，開方向のいずれであるかによって、前記目標絞り値に対応する実絞り値を記憶部から読み出し、この実絞り値に基づいてシャッタ速度の算出を行うことを特徴とするカメラ。
【請求項２】
被写体輝度を測光する測光手段と、この測光手段による測光値に基づいて複数の目標絞り値から１個の目標絞り値を選択する絞り値選択手段と、選択された目標絞り値に基づいて絞りを駆動する絞り駆動機構とを備えたカメラにおいて、
前記絞りを開放絞りから最小絞りに向かう閉方向へ駆動した場合と最小絞りから開放絞りに向かう開方向へ駆動した場合のそれぞれについて、前記目標絞り値毎に一定輝度の被写体を撮影して絞りを通過する光量を測定し、この測定結果から各目標絞り値における閉方向，開方向の各実絞り値を算出するとともに、この各実絞り値が該当する目標絞り値にそれぞれ一致するように、前記閉方向，開方向のそれぞれについて絞り機構を駆動するモータの各停止位置を求め、この各停止位置でモータを停止するモータ停止位置データを記憶部に記憶しておき、
撮影時には、前記絞り値選択手段が測光値に基づいて目標絞り値を選択するとともに、前記絞りの駆動方向が閉方向，開方向のいずれであるかによって、前記目標絞り値に対応するモータ停止位置データを記憶部から読み出し、モータを停止させることを特徴とするカメラ。
【請求項３】
被写体輝度を測光する測光手段と、この測光手段による測光値に基づいて複数の目標絞り値から１個の目標絞り値を選択する絞り値選択手段と、選択された目標絞り値に基づいて絞りを駆動する絞り駆動機構とを備えたカメラにおいて、
前記絞り駆動機構は、前記絞り値選択手段によって選択された目標絞り値と現在の絞りの絞り値との差が所定の閾値よりも大きい場合には、通常の低速度よりも速い高速度で絞りを駆動し、
前記絞りは、前記低速度で駆動された時と高速度で駆動された時とで実絞り値が異なり、
前記目標絞り値毎に、前記絞りを低速度で駆動して目標絞り値にセットした場合と高速度で駆動してセットした場合とで一定輝度の被写体を撮影してそれぞれ絞りを通過する光量を測定し、この測定結果から各目標絞り値における低速度駆動時，高速度駆動時の各実絞り値を算出して記憶部に記憶しておき、
撮影時には、前記絞り値選択手段が測光値に基づいて目標絞り値を選択するとともに、前記絞りの駆動速度が低速度，高速度のいずれであるかによって、前記目標絞り値に対応する実絞り値を記憶部から読み出し、この実絞り値に基づいてシャッタ速度の算出を行うことを特徴とするカメラ。
【発明の詳細な説明】
【技術分野】
【０００１】
本発明は、駆動方向又は駆動速度によって絞りの開口径にヒステリシスを有するカメラに関するものである。
【背景技術】
【０００２】
カメラの絞りには、一般に虹彩絞りが使われている。この虹彩絞りでは、開放絞り側から小絞り側へ絞る場合と、小絞り側から開放絞り側へ開ける場合とでは、機械的な原因によりヒステリシスを有するものが多い。このようなヒステリシスがあると、目標とする絞り値（目標絞り値）と実際の絞り値（実絞り値）とに差があるため、適正露出で撮影を行うことができない。
【０００３】
このようなヒステリシスを無くすために、一般的には、絞りを一方向から停止する方法を取っている。このため、反対方向の開口径が必要な場合、絞り羽根を一度大きくオーバーランさせた後、反転させて希望の開口径位置に停止させるように絞り駆動機構を制御する。また、駆動速度が低速度の場合と高速度の場合とでヒステリシスを有する絞りもあるが、このような絞りの場合には、一般的には、常に低速度で駆動するようにしている。
【０００４】
このような絞りの駆動方法では絞りのセットに時間がかかるため、シャッタボタンを押し下げてから実際に画像が記録されるまでのシャッタタイムラグが長くなる。これを改善する発明として、例えば特許文献１が知られている。この特許文献１では、オートフォーカス（ＡＦ）制御に移行する前に測光を行って撮影時の絞り値を決定し、絞り値の変更回数を減らす提案を行っている。
【特許文献１】特開２００４−６４２７９号公報
【発明の開示】
【発明が解決しようとする課題】
【０００５】
しかしながら、上記特許文献１では、測光時の絞りを変更せず１回の測光で絞りが決まる場合を前提としており、絞りを変更した上で測光し直さなければならない場合には、シャッタタイムラグは短くならないという問題がある。
【０００６】
本発明は、口径精度や露出精度を落とすことなく、絞りの切替え時間を短縮できるカメラを提供することを目的とする。
【課題を解決するための手段】
【０００７】
本発明のカメラは、被写体輝度を測光する測光手段と、この測光手段による測光値に基づいて複数の目標絞り値から１個の目標絞り値を選択する絞り値選択手段と、選択された目標絞り値に基づいて絞りを駆動する絞り駆動機構とを備えたカメラにおいて、前記絞りを開放絞りから最小絞りに向かう閉方向へ駆動した場合と最小絞りから開放絞りに向かう開方向へ駆動した場合のそれぞれについて、前記目標絞り値毎に一定輝度の被写体を撮影して絞りを通過する光量を測定し、この測定結果から各目標絞り値における閉方向，開方向の各実絞り値を算出して記憶部に記憶しておき、撮影時には、前記絞り値選択手段が測光値に基づいて目標絞り値を選択するとともに、前記絞りの駆動方向が閉方向，開方向のいずれであるかによって、前記目標絞り値に対応する実絞り値を記憶部から読み出し、この実絞り値に基づいてシャッタ速度の算出を行うことを特徴とする。
【０００８】
また、被写体輝度を測光する測光手段と、この測光手段による測光値に基づいて複数の目標絞り値から１個の目標絞り値を選択する絞り値選択手段と、選択された目標絞り値に基づいて絞りを駆動する絞り駆動機構とを備えたカメラにおいて、前記絞りを開放絞りから最小絞りに向かう閉方向へ駆動した場合と最小絞りから開放絞りに向かう開方向へ駆動した場合のそれぞれについて、前記目標絞り値毎に一定輝度の被写体を撮影して絞りを通過する光量を測定し、この測定結果から各目標絞り値における閉方向，開方向の各実絞り値を算出するとともに、この各実絞り値が該当する目標絞り値にそれぞれ一致するように、前記閉方向，開方向のそれぞれについて絞り機構を駆動するモータの各停止位置を求め、この各停止位置でモータを停止するモータ停止位置データを記憶部に記憶しておき、撮影時には、前記絞り値選択手段が測光値に基づいて目標絞り値を選択するとともに、前記絞りの駆動方向が閉方向，開方向のいずれであるかによって、前記目標絞り値に対応するモータ停止位置データを記憶部から読み出し、モータを停止させることを特徴とする。
【０００９】
また、被写体輝度を測光する測光手段と、この測光手段による測光値に基づいて複数の目標絞り値から１個の目標絞り値を選択する絞り値選択手段と、選択された目標絞り値に基づいて絞りを駆動する絞り駆動機構とを備えたカメラにおいて、前記絞り駆動機構は、前記絞り値選択手段によって選択された目標絞り値と現在の絞りの絞り値との差が所定の閾値よりも大きい場合には、通常の低速度よりも速い高速度で絞りを駆動し、前記絞りは、前記低速度で駆動された時と高速度で駆動された時とで実絞り値が異なり、前記目標絞り値毎に、前記絞りを低速度で駆動して目標絞り値にセットした場合と高速度で駆動してセットした場合とで一定輝度の被写体を撮影してそれぞれ絞りを通過する光量を測定し、この測定結果から各目標絞り値における低速度駆動時，高速度駆動時の各実絞り値を算出して記憶部に記憶しておき、撮影時には、前記絞り値選択手段が測光値に基づいて目標絞り値を選択するとともに、前記絞りの駆動速度が低速度，高速度のいずれであるかによって、前記目標絞り値に対応する実絞り値を記憶部から読み出し、この実絞り値に基づいてシャッタ速度の算出を行うことを特徴とする。
【発明の効果】
【００１０】
本発明のカメラによれば、各目標絞り値における閉方向，開方向の各実絞り値を算出して記憶部に記憶しておき、撮影時には測光値に基づいて目標絞り値を選択するとともに、絞りの駆動方向によって目標絞り値に対応する実絞り値を記憶部から読み出し、この実絞り値に基づいてシャッタ速度の算出を行うので、口径精度や露出精度を落とすことなく絞りの切替え時間を短縮できる。
【００１１】
また、閉方向，開方向の各実絞り値が該当する目標絞り値にそれぞれ一致するように、閉方向，開方向のモータの各停止位置を求め、このモータ停止位置データを記憶部に記憶しておき、撮影時には、測光値に基づいて目標絞り値を選択するとともに、絞りの駆動方向が閉方向，開方向のいずれであるかによって目標絞り値に対応するモータ停止位置データを記憶部から読み出し、モータを停止させるので、口径精度や露出精度を落とすことなく絞りの切替え時間を短縮できる。
【００１２】
また、目標絞り値毎に絞りを低速度で駆動してセットした場合と高速度で駆動してセットした場合とで光量を測定し、各目標絞り値における低速度駆動時，高速度駆動時の各実絞り値を算出して記憶部に記憶しておき、撮影時には測光値に基づいて目標絞り値を選択するとともに絞りの駆動速度が低速度，高速度のいずれであるかによって目標絞り値に対応する実絞り値を記憶部から読み出し、この実絞り値に基づいてシャッタ速度の算出を行うので、口径精度や露出精度を落とすことなく絞りの切替え時間を短縮できる。
【発明を実施するための最良の形態】
【００１３】
本発明の第１実施形態であるデジタルカメラ１０の構成を示す図１において、ＣＰＵ１１は、操作部１２から入力される各種の操作信号に応じて、Ｉ／Ｏバス１３を介してデジタルカメラ１０の本体各部を制御する。操作部１２には、電源ボタン１４，モード選択ダイヤル１５，ズームボタン１６，シャッタボタン１７等が含まれる。モード選択ダイヤル１５は、撮影モードや撮影済みの画像を再生して液晶ディスプレイ（ＬＣＤ）１８に表示する再生モード等を択一的に選択できる。
【００１４】
撮影レンズとしてのズームレンズ２１は、レンズ２２と絞り２３からなる。レンズ２２は、バリエータレンズである前群レンズと、フォーカシング機能をもったコンペンセータレンズである後群レンズとからなる。レンズ２２は、ステッピングモータを含むレンズ駆動機構２５によって駆動され、光学ズーム倍率の変更と焦点調節が行われる。
【００１５】
絞り２３は、ステッピングモータを含む絞り駆動機構２６によってステップ駆動され、絞り径が、複数の目標絞り値のいずれかに切り換えられる。この目標絞り値は、例えば、絞り２３の開放絞りがＦ２．８，最小絞りがＦ１１である場合、これらの開放絞りＦ２．８，最小絞りＦ１１も含め、Ｆ４，Ｆ５．６，Ｆ８となる。レンズ駆動機構２５及び絞り駆動機構２６は、ＣＰＵ１１に制御されるモータドライバ２７，２８によって駆動される。
【００１６】
ズームレンズ２１の背後には、固体撮像素子としてＣＣＤ３０が配置されている。このＣＣＤ３０は、タイミングジェネレータ（ＴＧ）３１を介してＣＰＵ１１に接続されている。撮影モードにおいては、ＣＰＵ１１は、ＴＧ３１を制御してタイミング信号（クロックパルス）を発生させ、ＣＣＤ３０は、ＴＧ３１から入力されるタイミング信号によって駆動される。
【００１７】
ズームレンズ２１により形成された光学画像がＣＣＤ３０の受光面に結像され、光電変換されてアナログの撮像信号が出力される。この撮像信号は、相関二重サンプリング回路（ＣＤＳ）３２に入力され、ＣＣＤ３０の各セルの蓄積電荷量に対応したＲ，Ｇ，Ｂの画像データとして出力される。ＣＤＳ３２から出力された画像データは、増幅器（ＡＭＰ）３３で増幅され、Ａ／Ｄ変換器（Ａ／Ｄ）３４によって、アナログ信号からデジタルな画像データに変換される。
【００１８】
画像入力コントローラ３６は、Ｉ／Ｏバス１３を介してＣＰＵ１１に接続されている。また、Ｉ／Ｏバス１３には、内部メモリ３８が接続されており、この内部メモリ３８としては、例えば、ＳＤＲＡＭ（Synchronous Dynamic Random Access Memory）が用いられる。ＣＰＵ１１は、画像入力コントローラ３６を制御して、Ａ／Ｄ３４から出力された画像データを内部メモリ３８に記憶させる。画像信号処理回路４１は、内部メモリ３８に記憶された画像データにアクセスして、階調変換、ホワイトバランス補正、γ補正処理等の各種画像処理を施す。
【００１９】
撮影モードでは、所定のフレームレートでＣＣＤ３０が撮像処理を行い、取得した画像データに対して上記画像処理が施され、処理済みの撮影画像がライブ画像としてＬＣＤパネル１８にスルー表示される。ＬＣＤパネル１８は、ＬＣＤドライバ４３によって駆動される。ＬＣＤドライバ４３は、画像メモリやＤ／Ａコンバータを備えており、画像メモリに一時的に蓄積した処理済みの画像データを、Ｄ／Ａコンバータで、例えば、ＮＴＳＣ方式のアナログ信号に変換して、ＬＣＤパネル１８に出力する。
【００２０】
レリーズ操作が行われると、ＣＣＤ３０によって、スルー表示用のライブ画像よりも画素数の大きな本画像データが取得される。この本画像データに対しては、上記画像処理がなされるとともに、圧縮伸張処理回路４４によって、所定の圧縮形式（例えば、ＪＰＥＧ形式）で圧縮処理が施される。圧縮処理が施された本画像データは、メディアコントローラ４５を介してメモリカード４６に記憶される。
【００２１】
前記Ｉ／Ｏバス１３には、前記メディアコントローラ４５等の他に、ＡＥ検出回路４８，ＡＦ検出回路４９，フラッシュメモリ５０が接続されている。ＡＦ検出回路４９は、撮像信号を空間周波数成分に分解し、このうち高周波数成分のコントラストデータをＣＰＵ１１に送る。ＣＰＵ１１は、モータドライバ２７を介してレンズ駆動機構２５を制御し、フォーカシングレンズを光軸方向に進退させて、被写体像の高周波数成分のコントラストが最も高くなる位置で停止させる。
【００２２】
前記ＡＥ検出回路４８は、撮像信号の輝度信号を積分演算し、得られた測光データとしての輝度積分値（被写体輝度値）をＣＰＵ１１に送る。ＣＰＵ１１は、予め決められた複数の目標絞り値から被写体輝度値に対応した目標絞り値を選択し、この目標絞り値に対応したシャッタ速度を撮影モードのプログラムラインに従って設定する。また、ＣＰＵ１１は、目標絞り値が絞り２３にセットされるように、絞り制御信号をモータドライバ２８を介して絞り駆動機構２６に出力する。絞り駆動機構２６は、絞り制御信号に従って絞り２３を開閉する。
【００２３】
絞り２３は、図２に示すように、絞り駆動機構２６によって駆動される方向が、開方向α（最小絞り→開放絞り）であるか、閉方向β（開放絞り→最小絞り）であるかによって、同じ目標絞り値Ｍに対して実際にセットされる絞り口径（実絞り値）が異なる（Ａ又はＢ）、いわゆるヒステリシスを有する。
【００２４】
そこで、本実施形態では、開方向α，閉方向βのそれぞれについて、目標絞り値Ｍについてそれぞれの実絞り値Ａ，Ｂを求め、これをフラッシュメモリ５０にデジタルカメラ１０の製造時に記憶しておく。なお、図中の符号ｍ１は、目標絞り値Ｍに対応する絞り駆動機構２６の機械的な停止位置、更に具体的に云えば、例えばモータの停止位置である。
【００２５】
なお、前記フラッシュメモリ５０は、周知の不揮発性メモリであり、前記各目標絞り値に対する実絞り値の他、各種プログラムやデータ，各種制御用のパラメータ等も記憶してある。
【００２６】
前記実絞り値Ａを求めるには、まず絞り２３を最小絞りにセットしておき、ＣＰＵ１１からモータドライバ２８に、絞り２３を目標絞り値Ｍにセットするためのコマンドを送る。これにより、絞り駆動機構２６は絞り２３を開方向αへ駆動した後、絞り駆動機構２６のモータが停止位置ｍ１に停止される。この状態のまま、デジタルカメラ１０で一定輝度に照明されたテストパターンを撮影する。ＡＥ検出回路４８から出力される被写体輝度値がＣＰＵ１１に入力され、撮影モードのプログラムラインに従って、前記被写体輝度値に対応した絞り値が求められる。これが目標絞り値Ｍに対する開方向αの実絞り値Ａになる。
【００２７】
前記実絞り値Ｂを求めるには、まず絞り２３を開放絞りにセットしておき、ＣＰＵ１１からモータドライバ２８に、絞り２３を目標絞り値Ｍにセットするためのコマンドを送る。これにより、絞り駆動機構２６は絞り２３を閉方向βへ駆動した後、絞り駆動機構２６のモータが停止位置ｍ１に停止される。この状態のまま、デジタルカメラ１０で一定輝度に照明されたテストパターンを撮影する。ＡＥ検出回路４８から出力される被写体輝度値がＣＰＵ１１に入力され、撮影モードのプログラムラインに従って、前記被写体輝度値に対応した絞り値が求められる。これが目標絞り値Ｍに対する閉方向βの実絞り値Ｂになる。
【００２８】
このようにして、複数の目標絞り値、例えばＦ２．８，Ｆ４，Ｆ５．６，Ｆ８，Ｆ１１のそれぞれについて、実絞り値Ａ，Ｂを求め、フラッシュメモリ５０に記憶する。
【００２９】
このように構成されたデジタルカメラ１０で撮影を行うには、図３に示すように、電源ボタン１４を押して（ｓｔ１）からモード選択ダイヤル１５を操作して撮影モードを選択すると（ｓｔ２）、画像入力コントローラ３６から出力された画像データが、ＬＣＤドライバ４３を介してスルー画像としてＬＣＤ１８に表示される（ｓｔ３）。ＬＣＤ１８を電子ビューファインダとして、ＬＣＤ１８の表示画像を観察してフレーミングを行う。ユーザが撮影を行おうとする際には、まずシャッタボタン１７を半押し（軽くシャッタボタンに触れる）すると（ｓｔ４）、ＡＥ処理（ｓｔ５）及びＡＦ処理（ｓｔ６）がスタートする。
【００３０】
図４に示すように、ＡＥ処理では、ＡＥ検出回路４８は、撮像信号の輝度信号を取り込んで積分演算し（ｓｔ１０）、この輝度積分値をＣＰＵ１１に送る。ＣＰＵ１１は、撮影モードのプログラムラインに従って、被写体輝度値に対応した目標絞り値に絞り２３をセットするべく絞り駆動機構２６を駆動し、絞り２３を目標絞り値にセットする（ｓｔ１１）。ＣＰＵ１１は、絞り駆動機構２６の駆動方向を監視しており、開方向αか閉方向βかによって、前記目標絞り値に対応する実絞り値をフラッシュメモリ５０から読み出し（ｓｔ１２）、この実絞り値に基づいてシャッタ速度の算出を行う（ｓｔ１３）。
【００３１】
また、ＡＦ処理では、ＡＦ検出回路４９は、撮像信号を空間周波数成分に分解し、このうち高周波数成分のコントラストデータをＣＰＵ１１に送る。ＣＰＵ１１は、例えば１ｍｍから無限遠（∞）までの範囲をオートフォーカスのサーチ範囲として、モータドライバ２７を介してレンズ駆動機構２５を制御し、レンズ２２の後群レンズを光軸方向に進退させて、被写体像の高周波数成分のコントラストが最も高くなる位置を探し出して停止させる。
【００３２】
ユーザは、ＬＣＤ１８に表示された画像でよければ、そのまま更に深くシャッタボタン１７を押し下げる（ｓｔ７）。次の瞬間、前記シャッタ速度に対応する電荷蓄積時間でＣＣＤ３０から撮像信号の読出が行われる。ＣＣＤ３０から出力された撮像信号は、ＣＤＳ３２，ＡＭＰ３３，Ａ／Ｄ変換器３４を経て画像入力コントローラ３６に入力される。この画像入力コントローラ３６から出力された画像データは、圧縮伸長処理回路４４で圧縮されてデータ容量を小さくされてから、メディアコントローラ４５を介してメモリカード４６に記憶される（ｓｔ８）。
【００３３】
次に、本発明の第２実施形態について図５を参照して説明する。なお、以下に説明する各実施形態は、デジタルカメラの機械的・電気的な構成については、第１実施形態と同じであるから説明を省略する。本発明の第２実施形態は、絞り駆動機構２６の駆動方向が開方向αでも閉方向βでも同じ実絞り値、すなわち目標絞り値Ｍと実絞り値とが駆動方向によらず一致するように、開方向α，閉方向βについて目標絞り値Ｍに対する絞り駆動機構２６のモータの停止位置ｍ２，ｍ３を求めておき、このモータ停止位置データをフラッシュメモリ５０に記憶しておくものである。
【００３４】
前記モータの停止位置ｍ２を求めるには、まず第１実施形態と同様に、開方向αの実絞り値Ａを求める（図２参照）。そして、目標絞り値Ｍと実絞り値Ａとの差に基づいて、前記停止位置ｍ１からあとどれだけモータを駆動して停止位置をずらせば、実絞り値が目標絞り値Ｍに一致するのかを算出し、新たな停止位置ｍ２を決定する。この停止位置ｍ２の決定に際しては、絞り駆動機構２６固有の誤差もあるため、実験によって確認するのが好ましい。なお、前記モータの停止位置ｍ３を求める方法は、絞り駆動機構２６の駆動方向（モータの回転駆動方向）が異なるだけで、他は停止位置ｍ２の場合と同じであるから、説明を省略する。
【００３５】
このようにして、複数の目標絞り値、例えばＦ２．８，Ｆ４，Ｆ５．６，Ｆ８，Ｆ１１のそれぞれについて、モータの停止位置ｍ２，ｍ３を求め、フラッシュメモリ５０に記憶する。実際の撮影時には、ＣＰＵ１１は、絞り駆動機構２６の駆動方向が開方向αか閉方向βかによって、フラッシュメモリ５０から対応するモータ停止位置データを読み出し、これによって絞り駆動機構２６を制御する。
【００３６】
次に、本発明の第３実施形態について図６を参照して説明する。第３実施形態は、絞り駆動機構２６が、例えば絞り２３を開放絞りＦ２．８から最小絞りＦ１１まで大きく動かすような場合には高速度で、また１段（１ＥＶ）程度の小さな動きの場合には低速度で絞り２３を駆動し、同じ絞り駆動機構２６のモータの停止位置ｍ４に対しても二通りの実絞り値Ｃ，Ｄを有する。
【００３７】
各目標絞り値について、絞り駆動機構２６を高速・低速それぞれで駆動した場合の実絞り値を測定し、各実絞り値をフラッシュメモリ５０に記憶しておく。そして、撮影時には、絞り駆動機構２６の駆動速度に応じてフラッシュメモリ５０から対応する実絞り値を読み出し、これによってシャッタ速度を算出する。
【００３８】
以上説明した第１実施形態では、シャッタボタンの半押しで測光を行い、絞り駆動機構の駆動方向によってフラッシュメモリから目標絞り値に対応する実絞り値を読み出してシャッタ速度を算出し、シャッタボタンを全押しすると、半押し時に決められた絞りとシャッタ速度でそのまま画像の記録が行われるようにしたが、シャッタボタンの半押しから全押しに移行する際に、被写体輝度が大幅に変わる場合もあり得る。
【００３９】
そこで、シャッタボタンを全押しした際（撮影時）に、再度の測光（本測光）を行うことが好ましい。この場合には、絞り駆動機構の駆動方向が、例えば開方向αから閉方向βに変更されることもあり得る。そして、この場合、同じ目標絞り値に対しても絞り口径（実絞り値）がずれる。そこで、本測光で目標絞り値は変更されずに絞り駆動機構の駆動方向が変更された場合には、実絞り値を再度読み出すことなく、絞り駆動機構の駆動方向に基づいてシャッタ速度を補正する。なお、この補正データは、予めフラッシュメモリに記憶しておく。
【００４０】
また、前記シャッタ速度を補正する代わりに、ＩＳＯ感度を補正（ＡＭＰのゲインを補正）してもよい。この絞り駆動機構の駆動方向に基づくＩＳＯ感度の補正データは、予めフラッシュメモリに記憶しておく。
【００４１】
以上説明した実施形態は、デジタルカメラであったが、本発明はこれに限定されることなく、写真フイルムを用いる銀塩カメラでもよい。
【図面の簡単な説明】
【００４２】
【図１】本発明のデジタルカメラの概略的な構成を示すブロック図である。
【図２】第１実施形態の実絞り口径と絞り駆動機構のモータの停止位置との関係を示すグラフである。
【図３】第１実施形態の主なシーケンスを示すフローチャートである。
【図４】第１実施形態のＡＥ処理の主なシーケンスを示すフローチャートである。
【図５】第２実施形態の実絞り口径と絞り駆動機構のモータの停止位置との関係を示すグラフである。
【図６】第３実施形態の実絞り口径と絞り駆動機構のモータの停止位置との関係を示すグラフである。
【符号の説明】
【００４３】
１０  デジタルカメラ
２３  絞り
２６  絞り駆動機構
４８  ＡＥ検出回路
５０  フラッシュメモリ
【図１】
2006243372.tif 000003
【図２】
2006243372.tif 000004
【図３】
2006243372.tif 000005
【図４】
2006243372.tif 000006
【図５】
2006243372.tif 000007
【図６】
2006243372.tif 000008